【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
有機化合物を分解する方法が、
第１の有機化合物により汚染された環境または前記環境と接触した試料から微生物を採取する工程と、
前記採取した微生物を、微生物の有機化合物耐性が分解能の指標として用いられるように、有機化合物により汚染された環境で培養する工程と、
前記培養した微生物を選択する工程と、
前記選択した微生物をその有機化合物分解能に基づいて再度選択する工程と、
前記再度選択した微生物を、前記環境中に微生物のコロニーを形成するよう、前記第１の有機化合物および/または第２の有機化合物に接触させる工程と、
前記微生物により前記第１および/または第２の有機化合物を分解する工程を具備することを特徴とする有機化合物の分解方法。
【請求項２】
有機化合物を分解する方法が、
第１の有機化合物に汚染された環境または前記環境と接触した試料から微生物を採取する工程と、
前記採取した微生物を、有機化合物により汚染された環境で前記第１の有機化合物と共に培養する工程と、
前記培養した微生物を選択する工程と、
前記選択した微生物をその有機化合物分解能に基づいて再度選択する工程と、
前記再選択した微生物を、前記環境中に微生物のコロニーを形成するよう、前記第１および/または第２の有機化合物に接触させる工程と、
前記微生物により前記第１および/または第２の有機化合物を分解する工程を具備することを特徴とする有機化合物の分解方法。
【請求項３】
前記微生物は、有機化合物を炭素源として生育する微生物であることを特徴とする請求項１または２記載の有機化合物の分解方法。
【請求項４】
前記第１および又は第２の有機化合物は、ハロゲン化炭化水素または芳香族炭化水素であることを特徴とする請求項１ないし請求項３のいずれか１項記載の有機化合物の分解方法。
【請求項５】
前記微生物はYMCT-001(FERM BP-5382) であることを特徴とする請求項１ないし請求項４いずれか１項記載の有機化合物の分解方法。
【請求項６】
微生物を単離する方法が、
少なくとも１種の有機化合物に汚染された環境または前記環境と接触した試料から微生物を採取する工程と、
前記採取した微生物を、有機化合物により汚染された環境で、微生物の有機化合物耐性が分解能の指標として用いられるように、培養する工程と、
前記培養した微生物を選択する工程と、
前記選択した微生物をその有機化合物分解能に基づいて再度選択する工程とを具備することを特徴とする微生物の単離方法。
【請求項７】
微生物を単離する方法が、
少なくとも１種の有機化合物に汚染された環境または前記環境と接触した試料から微生物を採取する工程と、
前記採取した微生物を、有機化合物により汚染された環境で、前記有機化合物と共に培養する工程と、
前記培養した微生物を選択する工程と、
前記選択した微生物をその有機化合物分解能に基づいて再度選択する工程とを具備することを特徴とする微生物の単離方法。
【請求項８】
前記微生物は、有機化合物を炭素源として生育する微生物であることを特徴とする請求項６または７記載の微生物の単離方法。
【請求項９】
前記有機化合物は、ハロゲン化炭化水素または芳香族炭化水素であることを特徴とする請求項６ないし請求項８のいずれか１項記載の微生物の単離方法。
【請求項１０】
前記微生物はYMCT-001(FERM BP-5382) であることを特徴とする請求項６ないし請求項９いずれか１項記載の微生物の単離方法。
【手続補正２】
【補正対象書類名】明細書
【補正対象項目名】００１０
【補正方法】変更
【補正の内容】
【００１０】
請求項１記載の本発明第２の有機化合物の分解方法は、第１の有機化合物により汚染された環境または前記環境と接触した試料から微生物を採取する工程と、前記採取した微生物を、微生物の有機化合物耐性が分解能の指標として用いられるように、有機化合物により汚染された環境で培養する工程と、前記培養した微生物を選択する工程と前記選択した微生物をその有機化合物分解能に基づいて再度選択する工程と、前記再度選択した微生物を、前記環境中に微生物のコロニーを形成するよう、前記第１の有機化合物および/または第２の有機化合物に接触させる工程と、前記微生物により前記第１および/または第２の有機化合物を分解する工程を具備することを特徴としている。
【手続補正３】
【補正対象書類名】明細書
【補正対象項目名】００１１
【補正方法】変更
【補正の内容】
【００１１】
さらに請求項２記載の本発明第３の有機化合物の分解方法は、第１の有機化合物に汚染された環境または前記環境と接触した試料から微生物を採取する工程と、前記採取した微生物を、有機化合物により汚染された環境で前記第１の有機化合物と共に培養する工程と、前記培養した微生物を選択する工程と、前記選択した微生物をその有機化合物分解能に基づいて再度選択する工程と、前記再選択した微生物を、前記環境中に微生物のコロニーを形成するよう、前記第１および/または第２の有機化合物に接触させる工程と、前記微生物により前記第１および/または第２の有機化合物を分解する工程を具備することを特徴としている。
【手続補正４】
【補正対象書類名】明細書
【補正対象項目名】００１２
【補正方法】変更
【補正の内容】
【００１２】
本発明の有機化合物の分解方法における前記微生物は、有機化合物を炭素源として生育する微生物であることを特徴としている。さらに前記有機化合物の分解方法における第１および又は第２の有機化合物は、ハロゲン化炭化水素または芳香属炭化水素であることを特徴としている。さらにまた、前記微生物は。ＹＭＣＴ−００１（ＦＥＲＭ  ＢＰ−５３８２）であること特徴としている。
【手続補正５】
【補正対象書類名】明細書
【補正対象項目名】００１３
【補正方法】変更
【補正の内容】
【００１３】
本発明の第１の微生物単離方法は、少なくとも１種の有機化合物に汚染された環境または前記環境と接触した試料から微生物を採取する工程と、
前記採取した微生物を、有機化合物により汚染された環境で、微生物の有機化合物耐性が分解能の指標として用いられるように、培養する工程と、前記培養した微生物を選択する工程と、前記選択した微生物をその有機化合物分解能に基づいて再度選択する工程とを具備することを特徴としている。
【手続補正６】
【補正対象書類名】明細書
【補正対象項目名】００１４
【補正方法】変更
【補正の内容】
【００１４】
本発明の第２の微生物単離方法は少なくとも１種の有機化合物に汚染された環境または前記環境と接触した試料から微生物を採取する工程と、
前記採取した微生物を、有機化合物により汚染された環境で、前記有機化合物と共に培養する工程と、前記培養した微生物を選択する工程と、前記選択した微生物をその有機化合物分解能に基づいて再度選択する工程とを具備することを特徴としている。
【手続補正７】
【補正対象書類名】明細書
【補正対象項目名】００１５
【補正方法】変更
【補正の内容】
【００１５】
本発明の微生物の単離方法における前記微生物は、有機化合物を炭素源として生育する微生物であることを特徴としている。さらに前記微生物の単離方法における有機化合物は、ハロゲン化炭化水素または芳香属炭化水素であることを特徴としている。さらにまた、前記微生物は。ＹＭＣＴ−００１（ＦＥＲＭ  ＢＰ−５３８２）であること特徴としている。